(57)【要約】【課題】画像表示手段を用いて画像を転写する転写装置において、画像を画像表示手段で直接鑑賞することができ、かつ簡単な構成で、小型軽量化、低消費電力化および低コスト化を可能にする。【解決手段】転写装置は、バックライトユニット１から入射した光源光の一部を透過し、バックライトユニット１の光源光の透過側より入射する外光の一部を反射する半透過型の液晶表示デバイス３を用い、バックライトユニット１からの光源光の進行方向に沿って、バックライトユニット１、液晶表示デバイス３および感光フィルム４を直列に配置して画像を転写する転写モードと、外光の一部を反射して液晶表示デバイス３の表示画像を鑑賞用画像として表示させる鑑賞モードとを有する。【選択図】図３
2004177652.tif 000002
【特許請求の範囲】
【請求項１】
光源と、この光源の側から入射した光源光の一部を透過し、前記光源光の透過側より入射する外光の一部を反射する半透過型の板状の画像表示手段と、感光性記録媒体とを、有する転写装置であって、
前記光源からの光源光の進行方向に沿って、前記光源、前記画像表示手段および前記感光性記録媒体を配置し、前記画像表示手段を透過した光源光により前記感光性記録媒体を露光することにより、前記画像表示手段の表示画像を前記感光性記録媒体に転写する転写モードと、
前記外光の一部を反射して前記画像表示手段の表示画像を鑑賞用画像として表示させる鑑賞モードと、を有することを特徴とする転写装置。
【発明の詳細な説明】
【０００１】
【発明の属する技術分野】
本発明は、デジタルスチルカメラ（ＤＳＣ）、ビデオカメラ、パソコン（パーソナルコンピュータ）等によりデジタル記録された画像を液晶表示デバイス（ＬＣＤ）で構成される透過型の画像表示手段に表示し、表示された画像を用いて、光により発色するインスタント写真フィルムのような感光性記録媒体に転写（画像形成）する転写装置に関する。
【０００２】
【従来の技術】
従来より、デジタル記録された画像を記録媒体に転写（印写あるいは複写）もしくは記録する方法として、印字ヘッドを有するインクジェット方式、レーザ記録方式、感熱記録方式等の種々の記録方式が知られている。
ここで、インクジェット方式等の記録方式では、印字に時間がかかるし、インクが詰まり易いし、精密な印字を行うと印字した紙がインクにより湿ってしまうなどの問題がある。また、レーザ記録方式では、レンズなどの高価な光学部品が必要であるため、機器のコストが高価となる。
【０００３】
また、レーザ記録方式および感熱記録方式では、消費電力が大きく、携帯には不向きであるという問題があった。これらの方式による転写装置は、一般に、特に、インクジェット方式では、記録を精密にすればするほど、駆動機構、制御機構が複雑で、装置も大型・高価なものになり、印刷にも時間がかかってしまうという問題があった。
【０００４】
これに対して、液晶表示装置を用いて、表示画像をインスタントフィルム等の感光性記録媒体に形成することにより構造を簡略化し、コストを低減させた転写装置が知られている（特許文献１〜３）。
下記特許文献１〜３では、光源と、液晶層をその両側から基板および偏光板で挟持する構造の透過型の画像表示手段と、感光性記録媒体と、を光源の進行方向に沿って直列に配置した転写装置が開示されている。
これによって、簡単な構成で、真に小型軽量化、低消費電力化および低コスト化を可能にする転写装置を実現することができるとされている。
しかし、特許文献１〜３では、転写する画像を画像表示手段で直接鑑賞することができないといった問題がある。
【０００５】
一方、下記特許文献４では、写真を撮ったその場で表示鑑賞でき、かつ、ハードコピーがとれるプリント機能付きディスプレイ装置が提案されている。
この装置では、ユーザーに対してカラー液晶ディスプレイで画像を鑑賞させることができるとともに、複写の際には、表示画像を最適に調整してカラー液晶ディスプレイにインスタントカラーフィルムを密着または近接させることにより、バックライトユニットの光を用いて画像をインスタントフィルムに複写（転写）することができるとされている。
【０００６】
【特許文献１】
特開２００２−１９６４２４号公報
【特許文献２】
特開２００２−１９６４２５号公報
【特許文献３】
特開２００２−１９６４２６号公報
【特許文献４】
特開２００１−９２０１６号公報
【０００７】
【発明が解決しようとする課題】
ところで、カラー液晶ディスプレイに表示鑑賞用として画像を表示する場合に必要なバックライトの光の強さは、複写（転写）用として画像を表示する場合のバックライトの光の強さに対して、複写（転写）の際の光源光の露光時間にもよるが、例えば、露光時間を０．１〜１．０秒とした場合、１００〜１０００倍である。すなわち、複写（転写）された画像が適切な濃度を持つように、複写（転写）に用いる光源の光の強さを、鑑賞用として表示する際の光源の光の強さの１００分の１〜１０００分の１程度に落とす必要がある。
しかし、現実的に、液晶表示デバイスおよびバックライトユニットを用いて、光の強さを１００分の１〜１０００分の１程度に精度高く調整することはできないといった問題がある。
【０００８】
この問題を解決するために、光の強さをＮＤフィルター等を用いて調整することもできるが、ＮＤフィルター等を調整するための駆動機構やＮＤフィルター未挿入防止機構等を設ける必要があり、簡単な構成で、真に小型軽量で、かつ低コストの転写装置を実現することができない。
【０００９】
そこで、本発明は、上記問題を解決するために、転写する画像を画像表示手段で直接鑑賞することができ、かつ簡単な構成で、真に小型軽量化、低消費電力化および低コスト化を可能にする転写装置を提供することを目的とする。
【００１０】
【課題を解決するための手段】
上記目的を達成するために、本発明は、光源と、この光源の側から入射した光源光の一部を透過し、前記光源光の透過側より入射する外光の一部を反射する半透過型の板状の画像表示手段と、感光性記録媒体とを、有する転写装置であって、前記光源からの光源光の進行方向に沿って、前記光源、前記画像表示手段および前記感光性記録媒体を配置し、前記画像表示手段を透過した光源光により前記感光性記録媒体を露光することにより、前記画像表示手段の表示画像を前記感光性記録媒体に転写する転写モードと、前記外光の一部を反射して前記画像表示手段の表示画像を鑑賞用画像として表示させる鑑賞モードと、を有することを特徴とする転写装置を提供する。
【００１１】
ここで、半透過型の画像表示手段は、透明性を有する２枚の基板で液晶層を両側から挟んで複数の画像表示素子が形成された液晶表示デバイスであり、透明性を有する一方の基板に反射電極および透明電極が、画像表示素子毎に設けられているのが好ましい。
さらに、この液晶表示デバイスは、各画像表示素子の一部の領域が透過構造（例えばホール）となっており、その他の領域が反射構造となった微透過型液晶表示デバイスでもよい。
【００１２】
【発明の実施の形態】
以下、本発明の転写装置について、添付の図面に示される好適実施例を基に詳細に説明する。
【００１３】
以下、本発明の転写装置について、添付の図面に示される好適実施形態を基に詳細に説明する。
【００１４】
本発明の転写装置は、感光フィルム等の感光性記録媒体に画像を転写する転写モードと、液晶ディスプレイデバイス等の板状の半透過型の画像表示手段に画像を鑑賞用画像として表示する鑑賞モードとを有する。
図１は、本発明の転写装置が転写モードにある時の一実施形態の模式的側断面図である。図２は、本発明の転写装置が鑑賞モードにある時の一実施形態の模式的側断面図である。
【００１５】
図１に示すように、転写装置は、光源としての陰極線管１１を有するバックライトユニット１と、略平行光生成用の多数の貫通孔を有する多孔板２と、供給された画像データに基づいて画像を表示する液晶ディスプレイデバイス（ＬＣＤ）３と、取り付け取り外し自在なフィルムケース５１に複数の感光フィルム４を収納しているフィルムパック５と、バックライトユニット１、多孔板２、ＬＣＤ３およびフィルムパック５を内包する本体ケース６とを有して構成される。
また、本体ケース６には、フィルムパック５（またはフィルムケース５１）の露光済フィルム取出口５３に臨む位置に取り付けられた露光済フィルムの送り出し兼処理液展開ローラ対６１、露光済フィルムの本体ケース６からの取出口６２、および感光フィルム４をＬＣＤ３側に付勢するためのバックアップ用押圧ピン６３が設けられている。
【００１６】
ここで、多孔板２と、ＬＣＤ３と、感光フィルム４とは、転写モードにおいて、バックライトユニット１からの光の進行方向に沿って直列に配置され、少なくとも、ＬＣＤ３と感光フィルム４とは非接触状態で配置される。あるいは接触状態で配置されてもよい。
このように、転写装置は、供給された画像データに基づいて画像を表示するＬＣＤ３と、このＬＣＤ３の一方の側（感光フィルム４と反対の側）に設けられ、透過光に画像を担持させるためにＬＣＤ３に光を照射するバックライト１と、このバックライト１とＬＣＤ３との間に設けられ、バックライト３からの光を略平行光とする多孔板２とを備える。
【００１７】
なお、ＬＣＤ３と感光フィルム４とが非接触状態で配置されるとは、ＬＣＤ３の表示面と感光フィルム４の感光面との間に所定の離間間隙が存在し、両者が直接接触しないことを意味する。フィルムケース５１が感光フィルム４の画像の有効範囲外でＬＣＤ３と接触しているが、感光フィルム４の感光面とＬＣＤ３の表示面との間に空間があるというものでもよい。また、ＬＣＤ３の表示面と感光フィルム４の感光面とは、その間に所定の厚みの透明なガラスやフィルムなどを介して接触しているが、それらが直接的には接触しておらず、両者間に、実質的に所定の距離が保たれている場合も含まれる。
【００１８】
光源となるバックライトユニット１は、ＬＣＤ３の背後からその全面に均一な光を照射するためのもので、ＬＣＤ３の表示画面と略同一の光射出面（発光面）を持つ面状光源であって、棒状ランプである冷陰極線管１１と、冷陰極線管１１から射出された光を所定方向に導入する導光板（図示せず）、導光板に導入された光を略直交する方向に反射させる反射シート（図示せず）および反射シートで反射された光を均一化する拡散シート（図示せず）やプリズムシート等を有するバックライトアセンブリとからなる。
【００１９】
本発明に用いられるバックライトユニット１は、特に制限されず、棒状ランプ１１が発光する光を、導光板、反射シート、拡散シートおよびプリズムシートなどからなるバックライトアセンブリを用いて均一に拡散させるようにした面状光源であればよく、従来公知のＬＣＤ用バックライトユニットを用いることができる。ここで、図示例では、発光面（光射出面）の大きさは、ＬＣＤ３の表示画面または感光フィルム４の感光面の大きさと同一の大きさに構成することができるが、必ずしもこれに限定されるものではなく、ＬＣＤ３の表示画面または感光フィルム４の感光面の大きさより若干大きくてもよい。
本発明に用いられるバックライトユニット１は、所要の光強度の光を射出できる面状光源であれば、ＬＥＤアレイ光源や有機ＥＬパネルや無機ＥＬパネル等を用いる光源なども利用可能である。
【００２０】
多孔板２は、バックライトユニット１とＬＣＤ３との間にＬＣＤ３の表示面と平行に配置されて、バックライトユニット１からの光を略平行光にし、ＬＣＤ３に入射する投影光を略平行にするための略平行光素子である。多孔板２には、所定厚みの矩形板に所定のサイズの貫通孔２１が所定のピッチ間隔でＬＣＤ３の面に対して垂直方向に２次元状に配列されている。すなわち、多孔板２は、ＬＣＤ３の面に対して略垂直方向に投影光を射出する複数の射出口が設けられ、この射出口が、ＬＣＤ３の表示面と平行な面内において所定のピッチ間隔で２次元状に配列された平行光生成素子である。
【００２１】
多孔板２の材質としては、特に制限されないが、例えば、所定の厚さを有するアルミニウム板等の金属板や樹脂板やカーボン材料板等を用いることができる。なお、多孔板２としては、このようなものに限定はされず、例えば、特開平１１−２４２２９８号公報に記載されているような多数の貫通孔を格子状に形成した格子のようなものでもよいし、あるいは、上記特許文献１に記載されているような、長手方向に沿って１列または複数列に配列された多数の貫通孔を有し、所定の厚みを持ち、幅が狭く細長い柱状の多孔板を、バックライトの長手方向に、その移動方向前後を遮光しながら移動させるように構成されたものであってもよい。
【００２２】
ＬＣＤ３は、デジタル記録された画像を表示するための透過型の画像表示手段であって、ＬＣＤ３に接続されているデジタル画像データの供給源から供給されるデジタル画像データに応じて表示画像を透過像として表示するものである。
デジタル画像データとして、デジタルスチルカメラで撮影された画像の画像データやスキャナ等で読み取られた透過原稿あるいは反射原稿の画像データであってもよい。
【００２３】
図３はＬＣＤ３の構造を示す断面図である。
図３に示すように、ＬＣＤ３は、板状の画像表示手段であって、液晶層３０と、液晶層３０と接する内側面に透明電極３１，３２、反射電極３３およびカラーフィルタ３４が形成されたガラス基板３５，３６とを有し、さらに、液晶層３０と接しないガラス基板３５，３６の外側面に４分の１波長板３７，３８と、偏光板３９，４０とが設けられる。このような構成を１つの画像表示素子として、複数の画像表示素子が配列されてＬＣＤ３が形成されている。
なお、図３中、多孔板２は図３中下側にあり、転写モードの場合、下側からバックライトユニット１からの光がＬＣＤ３に入射するように構成され、鑑賞モードの場合、外光が図３中上側からＬＣＤ３に入射するように構成され、カラーファイルタ３４を透過する光の一部分が、透過電極３２を透過した光であり、反射電極３３で反射した光となるように、カラーフィルタ３４に対向する位置に透明電極３２および反射電極３３が形成されている。
【００２４】
したがって、図１に示す転写モードの場合、図３中下側からＬＣＤ３に入射した光は、偏光板４０、４分の１波長板３８、ガラス基板３６を透過して円偏光となり、さらに、透明電極３２を透過し、液晶層３０を透過して楕円偏光となった後、カラーフィルタ３４を透過する。この透過した楕円偏光は、４分の１波長板３７および偏光板３９によって規制されるので、楕円偏光の成分の一部がＬＣＤ３から射出される。液晶層３０は、透明電極３１および透明電極３２，反射電極３３に電圧が付与されて液晶層３０の液晶の配列方向が制御されているので、カラーフィルタ３４を通過する光の楕円偏光の偏光の程度を制御することができ、ＬＣＤ３の表示画面に所望の輝度を持たせることができる。
偏光板３９，４０や４分の１波長板３７，３８は、板状のものに限らずフィルム状のものであってもよい。
【００２５】
一方、図２に示す鑑賞モードの場合は、図３中上側から入射した外光が、偏光板３９、４分の１波長板３７、ガラス基板３５および透明電極３１を透過し、液晶層３０で楕円偏光となり、反射電極３３で反射される。反射した光は、液晶層３０、カラーフィルタ３４、４分の１波長板３７および偏光板３９を通過する。その際、４分の１波長板３７および偏光板３９によって透過する光の成分が規制されるので、楕円偏光の成分の一部がＬＣＤ３から射出される。液晶層３０は、透明電極３１および透明電極３２，反射電極３３に電圧が付与されて液晶層３０の液晶の配列方向が制御されているので、カラーフィルタ３４を通過する光の楕円偏光の偏光の程度を制御することができ、ＬＣＤ３の表示画面に所望の輝度を持たせることができる。
このように、ＬＣＤ３は、バックライトユニット１の側から入射した光の一部を透過し、かつ、この光の透過側（図３中上側）より入射する外光の一部を反射する半透過型のＬＣＤである。そして、外光がカラーフィルタ３４のない透明電極３１を透過し反射電極３３で反射された後、透明電極３１およびカラーフィルタ３４を透過するので、色純度の高い明るいカラー表示画像を表示することができる。
なお、ＬＣＤ３はカラーフィルタ３４に隣接してブラックマトリックスを有するものであってもよい。
【００２６】
ＬＣＤ３は、図３に示す構成の他に、図４に示す構成のＬＣＤを用いてもよい。
すなわち、図４に示すＬＣＤは、液晶層４０と、液晶層４０と接する内側面に透明電極４１およびカラーフィルタ４４が形成されたガラス基板４５と、透明電極４２が形成されたガラス基板４６とを有し、さらに、ガラス基板４５の液晶層４０と接しない外側面に４分の１波長板４７と、偏光板４８とが設けられ、ガラス基板４６の液晶層４０と接しない外側面に偏光板４９と、その外側に半透過フィルム５０とが設けられる。
【００２７】
半透明フィルム５０は、図４中下側から入射した光の一部分を透過し、かつ、図４中上側から入射した光の一部分を反射する光学特性を有し、したがって、バックライトユニット１の側から入射した光の一部を透過し、かつ、この光の透過側より入射する外光の一部を反射する半透過型のＬＣＤとして、図３に示すＬＣＤ３の替りに用いることができる。
また、半透明フィルム５０の替りに、電界の制御により散乱素子の光学特性を制御し、透過モードおよび反射モードに切り換える、電界によって散乱制御可能な、ポリマーネットワーク液晶素子等の散乱素子を用いてもよい。
また、半透明フィルム５０を透明電極４２とガラス基板４６との間にフィルムとして設けた構成としてもよい。
偏光板４８，４９や４分の１波長板４７は、板状のものに限らずフィルム状のものであってもよい。
【００２８】
感光フィルム４（感光性記録媒体）は、その感光面が、所定の間隙（好ましくは０．０１ｍｍ〜３ｍｍ）を隔てて、ＬＣＤ３の表示画面に配置されるように構成され、複数枚の感光フィルム４が、フィルムケース５１に収納されている。フィルムケース５１は、本体ケース６内に取り付けられ、１セット（パック）の複数枚の感光フィルム４を装填するものであっても、取り付け取り外し自在なフィルムケース５１に複数枚の感光フィルム４を収納しているフィルムパック５をそのまま本体ケース６に装填するものであってもよいが、フィルムケース５１ごとフィルムパック５、すなわち、複数枚の感光フィルム４を収納しているフィルムケース５１自体を装填できるように構成しておくのが好ましい。感光フィルム４は、感光性記録媒体として用いられるものであり、感光性記録媒体としては、ＬＣＤ３の透過表示画像の露光焼付により、可視ポジ画像を形成できるものであればどのようなものでも良く、特に限定されるものではないが、例えば、いわゆるインスタント写真フィルム等が好ましい。
【００２９】
フィルムパック５には、そのフィルムケース５１の一端部に感光フィルム４を、フィルムパック５（のフィルムケース５１）から取り出すためのクロー部材（爪）が進入可能な切り欠き（図示せず）が設けられており、露光の終了した感光フィルム４は、上記クロー部材によりフィルムパック５のフィルムケース５１の露光済フィルム取出口５３から取り出され、露光済フィルムの送り出し兼処理液展開ローラ対６１によって、本体ケース６に設けられた取出口６２から装置外部に送り出される。このとき、露光済フィルムの送り出し兼処理液展開ローラ対６１は、上記感光フィルム４の一端に予め設けられている処理液（現像液）チューブ（図示せず）を押し破って、現像液を感光フィルム４内全面に均一に行きわたらせる処理工程を行う。
【００３０】
周知のように、この種のインスタント写真用フィルムは、上述の処理工程を経た後、数十秒ほどで完全な画像を形成し、観賞に供することが可能になる。本転写装置では、インスタント写真用フィルムの種類が予め設定されており、本転写装置に用いられる感光フィルム４の露光量ー濃度特性が定められている。
なお、図示しないが、本発明の転写装置は、露光済フィルムの送り出し兼処理液展開ローラ対６１を駆動するための駆動源（モータ）や、これを駆動したり、バックライトユニット１の冷陰極線管１１を点灯するための電源や、これらを制御するための電装品や、ＬＣＤ３に画像を表示させるためにデジタル画像データ供給部からデジタル画像データを受信し、ＬＣＤ表示用画像データに変換するデータ処理装置、制御装置などを有している。
【００３１】
このような転写装置では、図２に示す鑑賞用モードの場合、本体ケース６に設けられたヒンジ機構６４により、装着されたフィルムパック５の上側本体ケース６６と、バックライトユニット１、多孔板２およびＬＣＤ３を有する下側本体ケース６７とが分離されて、ＬＣＤ３の表示画面が顕れる。これにより、ＬＣＤ３に外光が入射し、この一部分が反射電極３３で反射した光によって作られる表示画像を鑑賞用画像として見ることができる。
なお、鑑賞モードの場合、フィルムパック５内の感光フィルム４が外光により感光しないように、遮断板６５によって感光フィルム４の感光面を覆うように設けられる。
【００３２】
すなわち、転写に必要なバックライト１の光の強さを設定しているので、転写モードの場合、透明電極３２を透過した透過光で感光フィルム４に画像を転写することができる一方、鑑賞モードの場合、反射電極３３で反射した反射光で鑑賞用画像が表示できるように、反射電極３３と透明電極３２の面積比率および透明電極３２の光学特性を設定しているので、ＬＣＤ３に表示された表示画像を外光を利用して鑑賞することができる。
【００３３】
以上、本発明の転写装置について詳細に説明したが、本発明は上記実施例に限定はされず、本発明の要旨を逸脱しない範囲において、各種の改良および変更を行ってもよいのはもちろんである。例えば、半透過型の画像表示手段として、画像表示素子の一部の領域は例えばホール等が形成されて透過構造となっており、残りの領域は反射構造となっている微透過型液晶表示デバイス（例えば、東芝社製ＬＴＨ０４Ｃ３９５）でもよい。
【００３４】
【発明の効果】
以上、詳細に説明したように、本発明の転写装置は、光源光の一部を透過し、透過側より入射する外光の一部を反射する半透過型の画像表示手段を用いるので、表示画像の輝度が大きく異なる転写モードおよび鑑賞モードを、一つの半透過型の画像表示手段で両立でき、転写装置を簡単な構成とし、小型軽量化、低消費電力化および低コスト化を可能にする。
【図面の簡単な説明】
【図１】本発明に係る転写装置の一例における転写モードの概略構成を示す側断面図である。
【図２】図１に示す転写装置における鑑賞モードを示す側断面図である。
【図３】図１に示す転写装置のＬＣＤの構成を示す断面図である。
【図４】本発明の転写装置に画像表示手段として用いるＬＣＤの他の構成を示す断面図である。
【符号の説明】
１  バックライトユニット
２  多孔板
３  ＬＣＤ
４  感光フィルム
５  フィルムパック
６  本体ケース
１１  冷陰極線管
１３  光源
２１  貫通孔
３０，４０  液晶層
３１，３２，４１，４２  透明電極
３３  反射電極
３４，４４  カラーフィルタ
３５，３６，４５，４６  ガラス基板
３７，３８，４７，４９  ４分の１波長板
３９，４０，４８，４９  偏光板
５０  半透明フィルム
５１  フィルムケース
５３  露光済みフィルムの取出口
６１  露光済みフィルムの送り出し兼処理液展開ローラ対
６２  取出口
６３  バックアップ用押圧ピン
６４  ヒンジ機構
６６  上側本体ケース
６７  下側本体ケース
【図１】
2004177652.tif 000003
【図２】
2004177652.tif 000004
【図３】
2004177652.tif 000005
【図４】
2004177652.tif 000006